(57)【要約】【課題】カバーの長手方向への移動を規制することのできる光源ユニット及びそれを用いた照明器具を提供する。【解決手段】光源ユニット２は、取付部材２１と、カバー２３とを備える。取付部材２１は、１乃至複数のＬＥＤ２２１が実装される基板２２が取り付けられる。カバー２３は、ＬＥＤ２２１を覆うように取付部材２１に取り付けられる。取付部材２１は、取付部材２１の一部を切り起こして形成される取付片２１２Ｂを有する。そして、カバー２３は、取付片２１２Ｂが挿入される取付孔２３３Ｂを有する。【選択図】図１
2015109216.tif 000002
【特許請求の範囲】
【請求項１】
１乃至複数の発光素子が実装される基板が取り付けられる取付部材と、
前記発光素子を覆うように前記取付部材に取り付けられるカバーとを備え、
前記取付部材は、取付部材の一部を切り起こして形成される取付片を有し、
前記カバーは、前記取付片が挿入される取付孔を有することを特徴とする光源ユニット。
【請求項２】
前記取付部材は長尺に形成され、前記カバーは、前記取付部材の長手方向と同じ方向を長手方向とし、且つ前記取付部材の幅方向と同じ方向を幅方向とした状態で前記取付部材に取り付けられ、
前記取付孔は、その長手方向の寸法が前記取付片の長手方向の寸法よりも大きくなるように形成されていることを特徴とする請求項１記載の光源ユニット。
【請求項３】
請求項１又は２記載の前記光源ユニットと、前記光源ユニットを保持する器具本体とを備えることを特徴とする照明器具。
【請求項４】
前記取付片及び前記取付孔は、前記器具本体が前記光源ユニットを保持している状態で前記器具本体に覆われる位置に形成されていることを特徴とする請求項３記載の照明器具。
【発明の詳細な説明】
【技術分野】
【０００１】
本発明は、一般に光源ユニット、より詳細には発光素子を光源とする光源ユニット及びそれを用いた照明器具に関する。
【背景技術】
【０００２】
従来、天井面へ設置される天井直付け型の照明器具が知られており、例えば特許文献１に開示されている。特許文献１に記載の照明器具は、横長且つ長尺に形成された器具本体と、器具本体に配設される光源部とを備える。光源部は、横長且つ長尺に形成された取付部材と、複数の発光素子が実装された基板と、透光性を有する材料から形成されたカバー部材（カバー）とを備える。
【０００３】
取付部材は、長手方向に沿って平坦な取付面と、取付面の両側から立ち上がった側壁とを有している。この側壁には、複数の切り起こし片が等間隔に幅方向の外側に突出して形成されている。カバー部材は、長尺且つ半円筒状に形成されている。カバー部材の開放端部側には、長手方向に沿って一対の嵌合溝が形成されている。
【０００４】
そして、カバー部材の一対の嵌合溝に取付部材の切り起こし片がスライドして嵌合することで、カバー部材が基板を覆うように取付部材に取り付けられる。
【先行技術文献】
【特許文献】
【０００５】
【特許文献１】特開２０１２−００３９９３号公報
【発明の概要】
【発明が解決しようとする課題】
【０００６】
しかしながら、上記従来例では、切り起こし片が嵌合溝に嵌合することでカバーの幅方向への移動は規制できるが、長手方向においてはカバーがスライド自在となっていることから、カバーの長手方向への移動を規制することができないという問題があった。
【０００７】
本発明は、上記の点に鑑みて為されており、カバーの長手方向への移動を規制することのできる光源ユニット及びそれを用いた照明器具を提供することを目的とする。
【課題を解決するための手段】
【０００８】
本発明の光源ユニットは、１乃至複数の発光素子が実装される基板が取り付けられる取付部材と、前記発光素子を覆うように前記取付部材に取り付けられるカバーとを備え、前記取付部材は、取付部材の一部を切り起こして形成される取付片を有し、前記カバーは、前記取付片が挿入される取付孔を有することを特徴とする。
【０００９】
この光源ユニットにおいて、前記取付部材は長尺に形成され、前記カバーは、前記取付部材の長手方向と同じ方向を長手方向とし、且つ前記取付部材の幅方向と同じ方向を幅方向とした状態で前記取付部材に取り付けられ、前記取付孔は、その長手方向の寸法が前記取付片の長手方向の寸法よりも大きくなるように形成されていることが好ましい。
【００１０】
本発明の照明器具は、上記何れかの前記光源ユニットと、前記光源ユニットを保持する器具本体とを備えることを特徴とする。
【００１１】
この照明器具において、前記取付片及び前記取付孔は、前記器具本体が前記光源ユニットを保持している状態で前記器具本体に覆われる位置に形成されていることが好ましい。
【発明の効果】
【００１２】
本発明は、取付部材の取付片がカバーの取付孔の周縁に引っ掛かることで、カバーの長手方向への移動を規制することができる。
【図面の簡単な説明】
【００１３】
【図１】図１Ａは、本発明の実施形態に係る光源ユニットの概略断面図で、図１Ｂは、本発明の実施形態に係る光源ユニットにおいて、カバーが膨張する前の状態を示す図で、図１Ｃは、本発明の実施形態に係る光源ユニットにおいて、カバーが膨張した後の状態を示す図である。
【図２】本発明の実施形態に係る光源ユニットの他の構成を示す図である。
【図３】本発明の実施形態に係る照明器具の分解斜視図である。
【図４】本発明の実施形態に係る照明器具の概略斜視図である。
【図５】本発明の実施形態に係る照明器具の概略断面図である。
【図６】図６Ａは、本発明の実施形態に係る光源ユニットにおいて、エンドキャップを取付部材に取り付ける前の状態を示す概略斜視図で、図６Ｂは、本発明の実施形態に係る光源ユニットにおいて、エンドキャップを取付部材に取り付けた状態を示す概略斜視図である。
【図７】図７Ａは、図６Ｂに示す構成において、カバーが膨張する前の状態を示す概略斜視図で、図７Ｂは、図６Ｂに示す構成において、カバーが膨張した後の状態を示す概略斜視図である。
【発明を実施するための形態】
【００１４】
本発明の実施形態に係る光源ユニット２は、図１Ａ，図１Ｂに示すように、取付部材２１と、カバー２３とを備える。取付部材２１は、１乃至複数のＬＥＤ２２１が実装される基板２２が取り付けられる。カバー２３は、ＬＥＤ２２１を覆うように取付部材２１に取り付けられる。取付部材２１は、取付部材２１の一部を切り起こして形成される取付片２１２Ｂを有する。そして、カバー２３は、取付片２１２Ｂが挿入される取付孔２３３Ｂを有する。
【００１５】
また、本発明の実施形態に係る照明器具Ａ１は、図３〜５に示すように、光源ユニット２と、光源ユニット２を保持する器具本体１とを備える。なお、図３，図５では、後述する取付片２１２Ｂ及び取付孔２３３Ｂの図示を省略している。
【００１６】
以下、本実施形態の光源ユニット２、及び本実施形態の照明器具Ａ１について詳細に説明する。但し、以下の説明では、図１Ａにおける上下左右により上下左右を規定する。また、以下の説明では、図１Ａ中の紙面に垂直な方向を前後方向とし、紙面手前側を前、紙面奥側を後と規定する。
【００１７】
本実施形態の照明器具Ａ１は、図３〜５に示すように天井直付け型の照明器具であり、光源ユニット２と、光源ユニット２を保持する器具本体１とを備える。器具本体１は、図３〜５に示すように、例えば板金に曲げ加工を施すことで、長尺且つ扁平な箱形に形成されている。また、器具本体１の上面（天井材１００との対向面）は開口している。器具本体１は、吊ボルト２００を用いて天井材１００に取り付けられる。器具本体１の下側（天井材１００と反対側）には、光源ユニット２を収納するための凹部１１が、器具本体１の前後方向（長手方向）に沿った全長にわたって設けられている。また、器具本体１の左右方向（幅方向）における凹部１１の両側には、凹部１１の開口端縁から延び出て、且つ外側に向かうほど上側（天井材１００側）に傾斜する傾斜部１２がそれぞれ設けられている。
【００１８】
凹部１１の底面部１１１には、図３に示すように、電源線（図示せず）を通すための孔１１１Ａが前後方向（凹部１１の長手方向）に沿って複数個（図３では５個）設けられている。また、凹部１１の底面部１１１には、吊ボルト２００を通すための孔１１１Ｂが、前後方向における両側にそれぞれ２個ずつ設けられている。さらに、器具本体１の前後方向における両端には、エンドキャップ１３がそれぞれ取り付けられている。
【００１９】
光源ユニット２は、図３に示すように、複数（図３では２枚）の基板２２と、取付部材２１と、カバー２３と、電源装置２４と、端子台ブロック２５とを有する。取付部材２１は、長尺に形成され、１乃至複数のＬＥＤ２２１が実装される基板２２が取り付けられる。カバー２３は、取付部材２１の長手方向と同じ方向を長手方向とし、且つ取付部材２１の幅方向と同じ方向を幅方向とした状態でＬＥＤ２２１を覆うように取付部材２１に取り付けられる。
【００２０】
基板２２は、前後方向に長い矩形板状に形成されたプリント配線板である。基板２２の一面（図３における下面）には、複数の発光ダイオード（発光素子）２２１が前後方向（基板２２の長手方向）に沿って実装されている。なお、以下の説明では、「発光ダイオード２２１」を「ＬＥＤ２２１」と称する。また、基板２２の一面（すなわち、基板２２における複数のＬＥＤ２２１が実装される面）には、複数のＬＥＤ２２１への給電路となる導体パターン（図示せず）が形成されている。導体パターンは、例えば銅箔により形成され、基板２２の前後方向に沿って設けられている。
【００２１】
一方（図３における右側）の基板２２の一端（右端）には、第１コネクタ２２２が実装されている。第１コネクタ２２２には、電線（図示せず）の一端が接続されており、この電線の他端を電源装置２４に接続することで、一方の基板２２の導体パターンと電源装置２４とが電気的に接続される。また、一方の基板２２における他方（図３における左側）の基板２２と対向する端には、第２コネクタ２２３が実装されている。この第２コネクタ２２３は、他方の基板２２における一方の基板２２と対向する端にも実装されている。そして、各基板２２それぞれの第２コネクタ２２３を互いに電気的に接続することで、一方の基板２２の導体パターンと、他方の基板２２の導体パターンとを電気的に接続することができる。
【００２２】
取付部材２１は、図３，５に示すように、例えば板金に曲げ加工を施すことで、底面部２１１と、一対の側面部２１２とを一体に備えた形状に形成されている。底面部２１１は、前後方向に沿って長尺な矩形板状に形成されている。各側面部２１２は、底面部２１１の左右方向（幅方向）における両端から上向きに突出するように形成されている。底面部２１１の左右方向における中央部には、複数の基板２２を収納するための凹部２１１Ａが、底面部２１１の前後方向（長手方向）の全長にわたって設けられている。また、各側面部２１２の上端には、互いに離れる向きに傾斜する引掛け部２１２Ａが、それぞれ前後方向（長手方向）の全長にわたって設けられている（図５参照）。
【００２３】
凹部２１１Ａの底面２１１Ｂは、各基板２２が取り付けられる取付面となっている。また、凹部２１１Ａの左右両側（幅方向の両側）それぞれの側面２１１Ｃは、図５に示すように、底面２１１Ｂの左右方向における両端から下向きに突出し、且つ下側に向かうほど左右両側に広がる傾斜面となっている。凹部２１１Ａの底面２１１Ｂには、孔２１１Ｄが前後方向（凹部２１１Ａの長手方向）における一端（図３における右端）に設けられている。この孔２１１Ｄは、前述の電線を通すために用いられる。また、底面２１１Ｂの前後方向における中央部には、底面２１１Ｂの一部を上向きに突出させることで形成される凹部２１１Ｅが設けられている。この凹部２１１Ｅにより、各基板２２を取付部材２１に取り付けた状態で、第２コネクタ２２３と底面２１１Ｂとの間の絶縁距離が確保される。
【００２４】
カバー２３は、図３，５に示すように、拡散性を有する材料（例えば、乳白色のアクリル樹脂やポリカーボネート樹脂）により、上面（取付部材２１側の面）が開口した長尺な箱形に形成されている。また、カバー２３は、その左右方向（幅方向）における両端側から中央側に向かうほど下側への突出量が大きくなるような凸レンズ状の曲面部２３１を有している（図５参照）。また、カバー２３の左右方向（幅方向）の両端には、図５に示すように、それぞれ延出部２３２が設けられている。これら延出部２３２は、光源ユニット２を器具本体１に取り付けた状態で、上下方向において器具本体１の凹部１１の開口端縁と重なる。さらに、カバー２３の左右方向における各延出部２３２の内側には、上側（取付部材２１側）に突出する脚部２３３が、それぞれカバー２３の長手方向（前後方向）の全長にわたって設けられている。各脚部２３３の上端には、左右方向において内向きに突出する突起部２３３Ａがそれぞれ設けられている。また、各脚部２３３の根元（下端）には、左右方向において内向きに突出する支持片２３４がそれぞれ設けられている。これら支持片２３４は、図１Ａ，図５に示すように、カバー２３を取付部材２１に取り付けた状態で、取付部材２１の底面部２１１と密着する。
【００２５】
また、カバー２３の前後方向（長手方向）の両端には、エンドキャップ２３５がそれぞれ取り付けられている。エンドキャップ２３５は、例えば接着剤を用いて接着することで、カバー２３に取り付けられている。なお、エンドキャップ２３５をカバー２３に取り付ける手段は接着剤に限定されず、例えばねじ止めであってもよい。
【００２６】
ここで、取付部材２１には、図１Ａ，図１Ｂに示すように、取付片２１２Ｂが設けられている。取付片２１２Ｂは、取付部材２１の各側面部２１２において、それぞれの一部を切り起こした矩形板状に形成されている。また、カバー２３には、図１Ａ，図１Ｂに示すように、取付片２１２Ｂが挿入される取付孔２３３Ｂが設けられている。取付孔２３３Ｂは、カバー２３の各脚部２３３において、それぞれの一部を切り欠くことで矩形状に形成されている。取付片２１２Ｂ及び取付孔２３３Ｂは、カバー２３を取付部材２１に取り付けた状態で、互いに対向する位置にそれぞれ設けられている。なお、取付片２１２Ｂは、取付部材２１の各側面部２１２において、前後方向に沿って複数設けてもよい。同様に、取付孔２３３Ｂは、カバー２３の各脚部２３３において、前後方向に沿って複数設けてもよい。
【００２７】
電源装置２４は、図３に示すように、基板２４１と、基板２４１が収納される収納ケース２４２とを有する。基板２４１は、前後方向に長い矩形板状に形成されたプリント配線板である。基板２４１には、少なくともＬＥＤ２２１の点灯電力を生成するために必要な回路部品２４１Ａ（例えば、トランスやダイオード、コンデンサなど）が実装されている。収納ケース２４２は、図３に示すように、下面（取付部材２１の底面部２１１との対向面）が開口し且つ前後方向に長い矩形箱状に形成されている。収納ケース２４２は、その開口が取付部材２１の底面部２１１と対向するようにして、例えばねじ止めにより取り付けられる。
【００２８】
端子台ブロック２５は、図３に示すように、矩形箱状に形成された端子台２５１と、端子台２５１を取付部材２１に取り付けるための取付金具２５２とを有する。端子台２５１には、天井材１００を通して室内側（下側）に露出する電源線が接続される。また、端子台２５１には、電源装置２４との間を電気的に接続する電線（図示せず）が接続される。端子台ブロック２５は、例えばねじ止めにより、取付部材２１に取り付けられる。
【００２９】
以下、光源ユニット２を組み立てる手順について説明する。まず、作業者は、電源装置２４及び端子台ブロック２５をそれぞれ取付部材２１の上面側に取り付け、電源装置２４と端子台ブロック２５との間を電線により電気的に接続する。次に、作業者は、取付部材２１の凹部２１１Ａの底面２１１Ｂに各基板２２を固定する。このとき、各基板２２に設けられた第２コネクタ２２３同士を電気的に接続する。さらに、作業者は、基板２２の第１コネクタ２２２から導出する電線を、取付部材２１の孔２１１Ｄに通した後、その一端を電源装置２４に電気的に接続する。そして、作業者は、開口を上向きにした状態でカバー２３を取付部材２１に組み付ける。このとき、各脚部２３３の突起部２３３Ａが、それぞれ取付部材２１の各引掛け部２１２Ａに引っ掛かることで、カバー２３が取付部材２１に取り付けられる。
【００３０】
また、このとき、各取付片２１２Ｂを対応する各取付孔２３３Ｂに挿入する。そして、各取付片２１２Ｂを折り曲げる（各取付片２１２Ｂの一端を上向きに折り曲げる）ことで、カバー２３の各脚部２３３が、取付部材２１の各側面部２１２と各取付片２１２Ｂとの間でそれぞれ挟み込まれる。以上の手順により、光源ユニット２が組立てられる。
【００３１】
続けて、照明器具Ａ１を施工する手順について説明する。まず、作業者は、室内側に露出する電源線を器具本体１の孔１１１Ａに通し、さらに天井材１００を通して室内側に露出する吊ボルト２００を孔１１１Ｂに通す。その後、作業者は、吊ボルト２００にナット３００（図５参照）をねじ込むことで、器具本体１を天井材１００に固定する。次に、作業者は、電源線を端子台２５１に電気的に接続し、少なくとも電源装置２４及び端子台ブロック２５が凹部１１に収納されるようにして、光源ユニット２を器具本体１に取り付ける。以上の手順により、照明器具Ａ１が天井材１００に施工される。
【００３２】
ここで、本実施形態の光源ユニット２では、カバー２３が前後方向（長手方向）に沿って移動したとしても、取付片２１２Ｂの前後方向（長手方向）の両端が取付孔２３３Ｂの周縁に引っ掛かることで、カバー２３の長手方向への移動が規制される（図１Ｂ参照）。
【００３３】
上述のように、本実施形態の光源ユニット２では、取付部材２１の取付片２１２Ｂがカバー２３の取付孔２３３Ｂの周縁に引っ掛かることで、カバー２３の前後方向（長手方向）への移動を規制することができる。
【００３４】
また、本実施形態は、図１Ａに示すように、カバー２３を取付部材２１に取り付けた状態で、カバー２３の各支持片２３４が取付部材２１の底面部２１１に密着するように構成されている。この平易な構成により、取付部材２１とカバー２３とで囲まれる空間（すなわちＬＥＤ２２１が配置される空間）が密閉され、虫や埃などの異物がこの空間に侵入するのを防止することができる。なお、本実施形態では、上述のように、カバー２３の脚部２３３に取付孔２３３Ｂを設け、且つ取付部材２１の側面部２１２に取付片２１２Ｂを設けている。したがって、取付孔２３３Ｂや、取付片２１２Ｂを折り曲げることで形成される開口を通して、虫や埃などの異物が取付部材２１の内側に侵入したとしても、ＬＥＤ２２１が配置される空間への侵入は防止することができる。なお、支持片２３４を設けるか否かは任意である。
【００３５】
なお、本実施形態の光源ユニット２では、図１Ｂに示すように、取付孔２３３Ｂの長辺（上辺又は下辺）に引っ掛かるように、取付部材２１の各側面部２１２の一部を切り起こして取付片２１２Ｂを形成しているが、他の構成でもよい。例えば、図２に示すように、取付孔２３３Ｂの短辺（左辺又は右辺）に引っ掛かるように、取付部材２１の各側面部２１２の一部を切り起こして取付片２１２Ｃを形成してもよい。この構成では、カバー２３を取付部材２１に取り付けた状態で、取付片２１２Ｃを折り曲げる（図３では、取付片２１２Ｃの一端を前向きに折り曲げる）ことで取付片２１２Ｃを取付孔２３３Ｂの周縁に引っ掛けることができる。この構成でも、カバー２３の前後方向（長手方向）への移動を規制することができる。
【００３６】
ところで、カバー２３は、例えばポリカーボネート等の樹脂材料により形成されることが一般的である。このため、カバー２３は、ＬＥＤ２２１の点灯及び消灯に起因する温度変化により、膨張したり収縮したりする。特に、カバー２３は長尺に形成されていることから、膨張や収縮により、その長手方向の寸法が変化する場合がある。ここで、カバー２３が、その前後方向（長手方向）の移動を完全に規制されるように取付部材２１に取り付けられている場合、膨張や収縮によりカバー２３に応力がかかり、カバー２３の一部にひびが入る虞がある。
【００３７】
そこで、従来では、カバー２３の前後方向（長手方向）に長尺な長孔（図示せず）をカバー２３に設け、段付きねじ（図示せず）を長孔に通して取付部材２１にねじ止めする構成を採用していた。この構成では、段付きねじと長孔の内周縁との間に隙間があるため、カバー２３が膨張や収縮により前後方向（長手方向）に沿って寸法が変化しても、その寸法の変化を吸収することができる。しかしながら、この構成では、段付きねじを用いる必要があることから、製造コストが増大するという問題があった。
【００３８】
一方、本実施形態の光源ユニット２では、図１Ａ，図１Ｂに示すように、取付孔２３３Ｂは、その前後方向（長手方向）の寸法が取付片２１２Ｂの前後方向（長手方向）の寸法よりも大きくなるように形成されている。この構成では、取付片２１２Ｂと取付孔２３３Ｂとの間に隙間があるため、段付きねじ及び長孔を設けた構成と同様に、カバー２３が膨張や収縮により前後方向（長手方向）に沿って寸法が変化しても、その寸法の変化を吸収することができる。一例として、カバー２３が膨張する前の状態を図１Ｂに、カバー２３が膨張した後の状態を図１Ｃに示す。しかも、この構成では、段付きねじを必要としないので、製造コストを低減することができる。なお、取付片２１２Ｂ及び取付孔２３３Ｂを上記の寸法で形成するか否かは任意である。
【００３９】
また、本実施形態の照明器具Ａ１では、器具本体１が光源ユニット２を保持している状態では、取付片２１２Ｂ及び取付孔２３３Ｂが凹部１１の内側に位置する。すなわち、取付片２１２Ｂ及び取付孔２３３Ｂは、器具本体１が光源ユニット２を保持している状態で器具本体１に覆われる位置に形成されている。この構成では、取付片２１２Ｂ及び取付孔２３３Ｂが外部から見えることがないので、見栄えが悪くなるのを防ぐことができる。なお、取付片２１２Ｂ及び取付孔２３３Ｂを上記の位置に形成するか否かは任意である。
【００４０】
ところで、本実施形態の光源ユニット２では、カバー２３の前後方向（長手方向）の両端にそれぞれエンドキャップ２３５を取り付けているが、例えば他のエンドキャップ２６を取付部材２１及びカバー２３に取り付ける構成であってもよい。
【００４１】
以下、エンドキャップ２６を取付部材２１及びカバー２３に取り付ける構成について図面を用いて説明する。エンドキャップ２６は、図６Ａに示すように、平面視で半円形状のキャップ本体２６１を備える。キャップ本体２６１の円弧状の下端には、取付部材２１に向かう向きに突出する円弧状のリブ２６２が一体に形成されている。また、キャップ本体２６１の背面における左右方向の両端には、それぞれ第１支持片２６３が一体に形成されている。さらに、キャップ本体２６１の左右方向の両端には、それぞれ第１支持片２６３と上下方向に一定の間隔を空けて第２支持片２６４が一体に形成されている。なお、各第１支持片２６３と各第２支持片２６４とは、それぞれ連結片（図示せず）により連結されている。
【００４２】
第２支持片２６４は、取付部材２１のスリット２１２Ｄに挿入される。スリット２１２Ｄは、前後方向に沿って細長い形状であって、取付部材２１の各側面部２１２において、前後方向（長手方向）の両端にそれぞれ設けられている。各スリット２１２Ｄは、何れも前後方向における外側の一端が外部に開放されている。第２支持片２６４は、スリット２１２Ｄの内側において、前後方向に移動自在となっている。
【００４３】
第２支持片２６４の左右方向における外側の一端には、前後方向に長尺な矩形板状の突片２６４Ａが一体に形成されている。また、突片２６４Ａの左右方向における外側の面には、左右方向における外向きに突出する突部２６４Ｂが一体に形成されている。この突部２６４Ｂは、カバー２３の孔２３３Ｃに挿入される（図７Ａ参照）。孔２３３Ｃは、カバー２３の各脚部２３３において、前後方向（長手方向）の両端にそれぞれ設けられている。
【００４４】
次に、エンドキャップ２６を光源ユニット２に組み込む手順について説明する。先ず、エンドキャップ２６を取付部材２１の前後方向（長手方向）の一端に向けてスライドさせる。そして、各第１支持片２６３と各第２支持片２６４との間で取付部材２１の底面部２１１を挟み込むようにして、エンドキャップ２６を取付部材２１の前後方向における一端に取り付ける（図６Ｂ参照）。このとき、各第２支持片２６４が取付部材２１の各スリット２１２Ｄにそれぞれ挿入される。次に、カバー２３の各孔２３３Ｃにエンドキャップ２６の各突部２６４Ｂを挿入して嵌め込むことで、エンドキャップ２６がカバー２３に取り付けられる。以上の手順により、エンドキャップ２６が取付部材２１及びカバー２３に取り付けられ、光源ユニット２に組み込まれる。
【００４５】
なお、突部２６４Ｂ及び孔２３３Ｃは、光源ユニット２を器具本体１に取り付けた状態で器具本体１の凹部１１の内側に位置する。したがって、突部２６４Ｂ及び孔２３３Ｃは外部から見ることができないため、見栄えが悪くなることはない。
【００４６】
ここで、エンドキャップ２６は、カバー２３には固定されているが、取付部材２１には固定されておらず、第２支持片２６４が取付部材２１のスリット２１２Ｄの内側を前後方向に移動自在である。このため、エンドキャップ２６は、カバー２３の前後方向（長手方向）の移動に追従する。一例として、カバー２３が膨張する前の状態を図７Ａに、カバー２３が膨張した後の状態を図７Ｂに示す。カバー２３が膨張すると、エンドキャップ２６には、前後方向の外向きに応力がかかる。ここで、図７Ａ，図７Ｂに示すように、エンドキャップ２６の突片２６４Ａ（すなわち、第２支持片２６４）が、取付部材２１のスリット２１２Ｄの内側を移動するので、エンドキャップ２６が前後方向の外向きに移動する。このように、エンドキャップ２６は、カバー２３の前後方向（長手方向）の移動に追従するため、カバー２３の膨張や収縮による応力を吸収することができる。
【００４７】
なお、エンドキャップ２６を取付部材２１に取り付けた状態では、各第２支持片２６４の一面（下面）が、取付部材２１の背面（上面）にそれぞれ接する。このため、エンドキャップ２６に前後方向を軸として回転方向に応力がかかっても、各第２支持片２６４が取付部材２１の移動を規制するので、エンドキャップ２６の脱落が防止される。
【００４８】
また、エンドキャップ２６は、取付部材２１の前後方向（長手方向）の一端からスライドさせるだけで取付部材２１に取り付けることができるので、接着剤も必要ではなく、施工性も良い。
【００４９】
また、エンドキャップ２６において、各第１支持片２６３と各第２支持片２６４との間には隙間があるが、エンドキャップ２６を取付部材２１に取り付けた状態では、この隙間に取付部材２１が嵌り込むことで隙間が埋められる。したがって、取付部材２１及びカバー２３、並びにエンドキャップ２６で囲まれる空間に虫や埃が侵入するのを防止することができる。なお、エンドキャップ２３５の代わりにエンドキャップ２６を採用するか否かは任意である。
【符号の説明】
【００５０】
１  器具本体
２  光源ユニット
２１  取付部材
２１２Ｂ  取付片
２２  基板
２２１  ＬＥＤ（発光素子）
２３  カバー
２３３Ｂ  取付孔
Ａ１  照明器具
【図１】
2015109216.tif 000003
【図２】
2015109216.tif 000004
【図３】
2015109216.tif 000005
【図４】
2015109216.tif 000006
【図５】
2015109216.tif 000007
【図６】
2015109216.tif 000008
【図７】
2015109216.tif 000009